(57)【要約】【課題】特殊な治具を必要としないで、少ない工数で、簡単、迅速にベアリングカップを取り外すことができるクロスジョイントを提供すること。【解決手段】ベアリングカップ３に外周環状溝３２を設ける。クロスピン２のボス部２２と、ヨーク１のアーム部１２の内端面との間の距離ａは、クロスピン２の軸部２２の方向の片側の移動可能距離ａである。上記ベアリングカップ３の外周環状溝３２の内側面３２ａとアーム１２の外端面との距離ｂは、上記クロスピン２のボス部２２と上記アーム部１２の内端面との間の移動可能距離ａよりも小さい。したがって、ベアリングカップ３の外周環状溝３２を露出させて、ベアリングカップ３を取り外すことができる。【選択図】図１
2014020480.tif 000002
【特許請求の範囲】
【請求項１】
互いに対向する一対のアーム部を有すると共に、上記アーム部に貫通穴を有するヨークと
上記アーム部の貫通穴に嵌合すると共に、内周面でベアリングを支持する有底筒状のベアリングカップと、
上記ベアリングカップにベアリングを介して先端の軸部が回転可能に支持されたクロスピンと
を備え、
上記ベアリングカップは、上記アーム部で密封された中空の外周環状溝を有し、
上記クロスピンのボス部と上記アーム部の内端面との間の距離（ａ）は、上記外周環状溝の内側面と上記アーム部の外端面との間の距離（ｂ）よりも大きいことを特徴とするクロスジョイント。
【発明の詳細な説明】
【技術分野】
【０００１】
この発明は、例えば、プロペラシャフトの動力伝達等に用いられるクロスジョイントに関する。
【背景技術】
【０００２】
従来、この種のクロスジョイントとしては、特開２００８−８２４２０号公報（特許文献１）に記載のものがある。このクロスジョイントは、ヨークの互いに対向する一対のアーム部の貫通穴に、有底筒状のベアリングカップを嵌合し、このベアリングカップの内周面に、ベアリングを介して、クロスピンの先端の軸部を回動自在に嵌合している。
【０００３】
そして、上記従来のクロスジョイントでは、ベアリングカップを取り外すには、次のようにしていた。すなわち、第１に、クロスピンの軸部を上方に移動させて、上方のベアリングカップをクロスピンの軸部で上方に押圧してアーム部から少し上に突出させ、第２に、クロスピンの軸部を下方に移動させて、下方のベアリングカップをクロスピンの軸部で下方に押圧してアーム部から少し下に突出させ、第３に、クロスピンを最大限下方に移動させて、上方のアーム部の内端面とクロスピンのボス部との間に比較的大きな隙間を生じさせ、第４に、この比較的大きな隙間にＣ字形状の治具を嵌め込み、第４に、クロスピンを上方に移動させて、Ｃ字形状の治具をアーム部の貫通穴に挿入して、上方のベアリングカップを上に押し出して、上方のベアリングカップを取り外し、第５に、クロスピンを最大限上方に移動させて、下方のアーム部の内端面とクロスピンのボス部との間に比較的大きな隙間を生じさせ、第６に、この比較的大きな隙間にＣ字形状の治具を嵌め込み、第７に、クロスピンを下方に移動させて、Ｃ字形状の治具をアーム部の貫通穴に挿入して、下方のベアリングカップを下に押し出して、下方のベアリングカップを取り外すようにしている。
【０００４】
しかしながら、上記従来のクロスジョイントでは、ベアリングカップを取り外すには、Ｃ字形状の特殊な治具を必要とする上に、上述のように第１から第７の工程を必要として、工数がかかり、長時間必要として、簡単、迅速に取り外せないという問題があった。
【先行技術文献】
【特許文献】
【０００５】
【特許文献１】特開２００８−８２４２０号公報、図１、図３、図４、図５
【発明の概要】
【発明が解決しようとする課題】
【０００６】
そこで、この発明の課題は、特殊な治具を必要としないで、少ない工数で、簡単、迅速にベアリングカップを取り外すことができるクロスジョイントを提供することにある。
【課題を解決するための手段】
【０００７】
上記課題を解決するため、この発明のクロスジョイントは、
互いに対向する一対のアーム部を有すると共に、上記アーム部に貫通穴を有するヨークと
上記アーム部の貫通穴に嵌合すると共に、内周面でベアリングを支持する有底筒状のベアリングカップと、
上記ベアリングカップにベアリングを介して先端の軸部が回転可能に支持されたクロスピンと
を備え、
上記ベアリングカップは、上記アーム部で密封された中空の外周環状溝を有し、
上記クロスピンのボス部と上記アーム部の内端面との間の距離（ａ）は、上記外周環状溝の内側面と上記アーム部の外端面との間の距離（ｂ）よりも大きいことを特徴としている。
【０００８】
上記構成のクロスジョイントにおいて、上記クロスピンを、上記クロスピンのボス部と上記アーム部の内端面との間の距離（ａ）、つまり、上記軸部の方向の片側の移動可能距離（ａ）だけ移動させると、この移動可能距離（ａ）は、上記外周環状溝の内側面と上記アーム部の外端面との間の距離（ｂ）よりも大きいから、上記ベアリングカップの中空の外周環状溝は、アーム部の外端面よりも外側に位置して、露出する。
【０００９】
この露出した外周環状溝に、例えば、汎用品であるマイナスドライバーを入れて、ベアリングカップをヨークのアーム部から取り外すことができる。
【００１０】
また、他方のベアリングカップも、同様にして、ヨークのアーム部から取り外すことができる。
【００１１】
このように、特別な治具を必要としないで、少ない工数で、簡単、迅速にベアリングカップをヨークのアーム部から取り外すことができる。
【発明の効果】
【００１２】
この発明のクロスジョイントは、クロスピンのボス部とアーム部の内端面との間の距離（ａ）が、ベアリングカップの外周環状溝の内側面とアーム部の外端面との間の距離（ｂ）よりも大きいので、特殊な治具を必要としないで、少ない工数で、簡単、迅速にベアリングカップを取り外すことができる。
【図面の簡単な説明】
【００１３】
【図１】この発明の１実施形態のクロスジョイントの断面図である。
【発明を実施するための形態】
【００１４】
以下、この発明を図示の実施形態により詳細に説明する。
【００１５】
図１に示すように、この実施形態のクロスジョイントは、ヨーク１と、クロスピン２と、内周面で図示しないニードルベアリングを支持する有底筒状のベアリングカップ３とを有する。
【００１６】
上記ヨーク１は、基部１１と、この基部１１から二叉状に延びて互いに対向する一対のアーム部１２（片側のみを示す。）を有する。上記一対のアーム部１２には、互いに対向する貫通穴１３（片側のみを示す。）を設けている。
【００１７】
上記クロスピン２は、中央の交差部２１と、この交差部２１近傍の４つのボス部２２（一つのみを示す。）と、この４つのボス部４４から延びる４つの軸部２３（一つのみを示す。）を有する。上記ボス部２２と、上記アーム部１２の内端面との間の距離は、図１では、文字ａで表している。このボス部２２の端と上記アーム部１２の内端面とは当接するから、このボス部２２と上記アーム部１２の内端面との間の距離ａは、上記クロスピン２の上記軸部２３の方向の片側の移動可能距離ａである。
【００１８】
上記有底筒状のベアリングカップ３は、外周面に、開放端近くのスナップリング用の環状溝３１と、閉鎖端近くの取り出し用の外周環状溝３２とを有する。上記外周環状溝３２の内側面３２ａとアーム１２の外端面との距離ｂは、上記クロスピン２のボス部２２と上記アーム部１２の内端面との間の距離ａ、つまり、上記クロスピン２の上記軸部２３の方向の片側の移動可能距離ａよりも小さい。つまり、ａ＞ｂである。
【００１９】
上記ベアリングカップ３のスナップリング用の環状溝３１には、スナップリング１５を嵌合して、ベアリングカップ３がアーム部１２から外側へ外れないようにしている。
【００２０】
なお、１７は潤滑油通路、１８はグリスニップルである。
【００２１】
上記構成のクロスジョイントにおいて、まず、スナップリング１５をベアリングカップ３のスナップリング用の環状溝３１から取り外し、クロスピン２を図１において上方に移動させて、アーム部１２の内端面に当接させる。そうすると、上記ボス部２２は、ボス部２２とアーム部１２の内端面との間の距離ａだけ、つまり、クロスピン２は、上述の移動可能距離ａだけ移動し、ベアリングカップ３も軸部２３に押圧されて移動可能距離ａだけ移動することになる。
【００２２】
一方、上記移動可能距離ａは、ベアリングカップ３の外周環状溝３２の内側面３２ａとアーム部１２の外端面との間の距離ｂよりも大きいから、上記ベアリングカップ３の中空の外周環状溝３２は、アーム部１２の外端面よりも外側に位置して、露出する。
【００２３】
この露出した外周環状溝３２に、図示しない汎用のマイナスドライバーを入れて、ベアリングカップ４をヨーク１のアーム部１２から外側に引き出して取り外す。
【００２４】
また、図示しない他方のベアリングカップも、同様にして、ヨーク１のアーム部から取り外すことができる。
【００２５】
このように、特別な治具を必要としないで、少ない工数で、簡単、迅速にベアリングカップ３をヨーク１のアーム部１２から取り外すことができる。
【００２６】
また、この実施形態のクロスジョイントでは、ベアリングカップ３に、取り出し用の中空の外周環状溝３２を設け、この外周環状溝３２をヨーク１のアーム部１２で密封していて、ベアリングカップ３をアーム部１２に組み込んでいるときには、外周環状溝３２が露出していないので、ヨーク１のアーム部１２に特別な加工を必要としなく、アーム部１２の強度を低下させることなく、安価で、通常のヨーク１をそのまま使用できるという利点がある。
【符号の説明】
【００２７】
１  ヨーク
２  クロスピン
３  ベアリングカップ
１２  アーム部
１３  貫通穴
２２  ボス部
２３  軸部
３２  外周環状溝
【図１】
2014020480.tif 000003